(57)【要約】      （修正有）【課題】脚立を用いた作業を行う際の脚部の固定等の段取り作業の重要性を体感させる脚立ぐらつき安全体感装置を提供する。【解決手段】脚立本体２と、前後の載置台４，５と、操作ボックス６とを備える。脚立本体２は、開脚角度を調整する上部ヒンジ３１に加え、脚部同士の開き過ぎを規制する第２のヒンジ３２を備える。前側載置台４には第１のエアシリンダ６１によって前後方向に移動されるスライダ４４が取り付けられる。後側載置台５には、脚部支持体５３，５４が設置され、一方の脚部支持体５３に取り付けられた昇降体の下面との間にカム面を形成するカムブロックが第２のエアシリンダ６２によって左右方向に出没される。各エアシリンダ６１，６２には中立位置を有する切換弁を介して圧縮空気が給排される。脚立本体２は、前後を挟まれる様にしてスライダ４４及び脚部支持体５３，５４に載置される。【選択図】図１
0003197026.tif 000002
【実用新案登録請求の範囲】
【請求項１】
上端部をヒンジ部材で連結されて前後方向の開度を変更可能な梯子形の脚部を備える脚立本体と、前記脚立本体を載置する載置台とを備えると共に、以下の構成をも備えていることを特徴とする脚立ぐらつき安全体感装置。
（１Ａ）前記載置台は、前記脚立本体の各脚部を別々に載置する前後の脚部支持体を備え、前後一方の脚部支持体は、当該載置台に対して前後方向に移動可能なスライダによって構成され、前後他方の脚部支持体は、載置した脚部の少なくとも一方の脚を上下方向移動可能に載置する昇降体を備えていること。
（１Ｂ）前記スライダを前後方向に移動させる第１のアクチュエータと、前記昇降体を上下方向に移動させる第２のアクチュエータと、これら第１，第２のアクチュエータに対してそれぞれの動作を実行させる操作スイッチとを備えていること。
【請求項２】
さらに、以下の構成をも備えていることを特徴とする請求項１に記載の脚立ぐらつき安全体感装置。
（２）前記スライダ及び前記前後他方の脚部支持体には、それぞれに載置した脚部の下端を前後から挟む様に立設された前後移動規制部材が備えられていること。
【請求項３】
さらに、以下の構成をも備えていることを特徴とする請求項１又は２に記載の脚立ぐらつき安全体感装置。
（３Ａ）前記第１のアクチュエータが、前進，後退及び中立の各位置へとポートの切り換えが可能な第１の切換弁を介して圧縮空気を給排される第１のエアシリンダで構成され、該第１のエアシリンダのロッドに対して前記スライダを連結してあること。
（３Ｂ）前記第２のアクチュエータが、前進，後退及び中立の各位置へとポートの切り換えが可能な第２の切換弁を介して圧縮空気を給排される第２のエアシリンダで構成され、該第２のエアシリンダのロッドに対して、前記昇降体の下方に挿入されるカムブロックを連結し、該カムブロックの上面と前記昇降体の下面との間に、傾斜面を有するカム面を形成したこと。
（３Ｃ）前記操作スイッチとして、前記第１の切換弁のポート切り換えを行う第１の操作スイッチと、前記第２の切換弁のポート切り換えを行う第２の操作スイッチとを備えていること。
【請求項４】
さらに、以下の構成をも備えていることを特徴とする請求項３に記載の脚立ぐらつき安全体感装置。
（４）前記載置台は、前記第１のエアシリンダ及びスライダが設置された第１のベース板と、前記第２のエアシリンダ及び前記昇降体を有する脚部支持体が設置された第２のベース板とに分割され、前記第１，第２のベース板にはそれぞれ、複数のキャスタと複数のねじ込み式の支持脚とが備えられ、前記支持脚は、前記キャスタを浮き上がらせた状態とする位置と接地させた位置との間を昇降昇可能な長さを有すること。
【請求項５】
さらに、以下の構成をも備えていることを特徴とする請求項４に記載の脚立ぐらつき安全体感装置。
（５Ａ）前記第１のベース板には、前記第１のエアシリンダが、前記スライダに対して前記第２のベース板側に位置する様に設置されていること。
（５Ｂ）前記第２のベース板には、前記脚部支持体が左右に分割されて設置され、前記第２のエアシリンダが、左右の脚部支持体の間に、前記カムブロックを左右方向に出没可能とする様にロッドを左右に向けて設置されると共に、前記カム面が、当該ロッドの没入方向に向かって登り傾斜とされた第１の傾斜面と、該第１の傾斜面の低い側に連続する第１の水平面と高い側に連続する第２の水平面とを有すると共に、前記第２の水平面に連続して前記第１の傾斜面と同一傾斜の第２の傾斜面とを備えていること。
【請求項６】
さらに、以下の構成をも備えていることを特徴とする請求項１〜５のいずれかに記載の脚立ぐらつき安全体感装置。
（６）前記脚立本体には、前記ヒンジ部材の下方に、前後の各脚部に対してそれぞれの一端を回動可能に連結されると共に、他端同士を互いに回動可能に連結された２本のレバーによって構成される第２のヒンジ部材を備えていること。
【考案の詳細な説明】
【技術分野】
【０００１】
本考案は、脚立を用いる際の段取り作業の重要性を体感させるための装置に関する。
【背景技術】
【０００２】
作業現場等において脚立を用いる際には、ストッパで前後の脚部の開度を固定した上で、各脚の下端をしっかりと接地させる段取り作業を怠ると、思わぬ事故に繋がることから、脚立にマイクロスイッチを備えさせ、脚開度あるいは接地状態が不良の場合には警報を出力する様にした脚立の提案がある（特許文献１）。
【先行技術文献】
【特許文献】
【０００３】
【特許文献１】実公平７−４３１９号公報
【考案の概要】
【考案が解決しようとする課題】
【０００４】
しかしながら、この様な警報装置を備えることは脚立のコストアップに繋がると共に、警報装置の作動不良が生じた場合には却って危険である。
【０００５】
そこで、本考案は、脚立を用いた作業を行う際の段取り作業を怠った場合に生じ得る危険を体感させて安全教育を行うことを目的としてなされた。
【課題を解決するための手段】
【０００６】
上記目的を達成するためになされた本考案の脚立ぐらつき安全体感装置は、上端部をヒンジ部材で連結されて前後方向の開度を変更可能な梯子形の脚部を備える脚立本体と、前記脚立本体を載置する載置台とを備えると共に、以下の構成をも備えていることを特徴とする。
（１Ａ）前記載置台は、前記脚立本体の各脚部を別々に載置する前後の脚部支持体を備え、前後一方の脚部支持体は、当該載置台に対して前後方向に移動可能なスライダによって構成され、前後他方の脚部支持体は、載置した脚部の少なくとも一方の脚を上下方向移動可能に載置する昇降体を備えていること。
（１Ｂ）前記スライダを前後方向に移動させる第１のアクチュエータと、前記昇降体を上下方向に移動させる第２のアクチュエータと、これら第１，第２のアクチュエータに対してそれぞれの動作を実行させる操作スイッチとを備えていること。
【０００７】
本考案の脚立ぐらつき安全体感装置によれば、前後の脚部を所定開度に開いた脚立本体を載置台に載置し、操作スイッチを操作して第１のアクチュエータを動作させることにより、脚部を前後方向に開かせてストッパ掛け忘れによる脚立のぐらつきを再現する。また、操作スイッチを操作して第２のアクチュエータを動作させることにより、昇降体を下降させて接地不良による脚立のぐらつきを再現する。
【０００８】
ここで、本考案の脚立ぐらつき安全体感装置は、さらに、以下の構成をも備えるとよい。
（２）前記スライダ及び前記前後他方の脚部支持体には、それぞれに載置した脚部の下端を前後から挟む様に立設された前後移動規制部材が備えられていること。
【０００９】
かかる構成をも備えることにより、上述の様な脚立のぐらつきを安全的確に再現することができる。
【００１０】
これら本考案の脚立ぐらつき安全体感装置は、さらに、以下の構成をも備えるとよい。
（３Ａ）前記第１のアクチュエータが、前進，後退及び中立の各位置へとポートの切り換えが可能な第１の切換弁を介して圧縮空気を給排される第１のエアシリンダで構成され、該第１のエアシリンダのロッドに対して前記スライダを連結してあること。
（３Ｂ）前記第２のアクチュエータが、前進，後退及び中立の各位置へとポートの切り換えが可能な第２の切換弁を介して圧縮空気を給排される第２のエアシリンダで構成され、該第２のエアシリンダのロッドに対して、前記昇降体の下方に挿入されるカムブロックを連結し、該カムブロックの上面と前記昇降体の下面との間に、傾斜面を有するカム面を形成したこと。
（３Ｃ）前記操作スイッチとして、前記第１の切換弁のポート切り換えを行う第１の操作スイッチと、前記第２の切換弁のポート切り換えを行う第２の操作スイッチとを備えていること。
【００１１】
かかる構成をも備えることにより、各切換弁を中立位置にしておくことにより、体験者が脚立に登って体重が加わったときに思わぬ動きをすることがない。こうして体験者を脚立に登らせてから、第１の操作スイッチを操作して脚部同士の開度を大きくする方向にスライダを移動させることにより、ストッパ掛け忘れによる脚立のぐらつきを体験させる。また、第２の操作スイッチを操作して昇降体を下降させる方向にカムブロックを移動させることにより、接地不良による脚立のぐらつきを体感させる。
【００１２】
アクチュエータをエアシリンダで構成した脚立ぐらつき安全体感装置は、さらに、以下の構成をも備えるとよい。
（４）前記載置台は、前記第１のエアシリンダ及びスライダが設置された第１のベース板と、前記第２のエアシリンダ及び前記昇降体を有する脚部支持体が設置された第２のベース板とに分割され、前記第１，第２のベース板にはそれぞれ、複数のキャスタと複数のねじ込み式の支持脚とが備えられ、前記支持脚は、前記キャスタを浮き上がらせた状態とする位置と接地させた位置との間を昇降昇可能な長さを有すること。
【００１３】
かかる構成を備えることにより、載置台を前後に分割することで運搬や設置の作業を容易にすると共に、載置台の前後方向位置を調整する際には、支持脚を上昇させてキャスタによる移動を容易にしておき、位置決めができたら式支持脚を下降させてキャスタを浮き上がらせることにより、載置台を安定させることができる。
【００１４】
載置台を前後に分割した脚立ぐらつき安全体感装置は、さらに、以下の構成をも備えるとよい。
（５Ａ）前記第１のベース板には、前記第１のエアシリンダが、前記スライダに対して前記第２のベース板側に位置する様に設置されていること。
（５Ｂ）前記第２のベース板には、前記脚部支持体が左右に分割されて設置され、前記第２のエアシリンダが、左右の脚部支持体の間に、前記カムブロックを左右方向に出没可能とする様にロッドを左右に向けて設置されると共に、前記カム面が、当該ロッドの没入方向に向かって登り傾斜とされた第１の傾斜面と、該第１の傾斜面の低い側に連続する第１の水平面と高い側に連続する第２の水平面とを有すると共に、前記第２の水平面に連続して前記第１の傾斜面と同一傾斜の第２の傾斜面とを備えていること。
【００１５】
かかる構成をも備えることにより、装置全体をコンパクトにすることができると共に、エアシリンダを脚立本体の内側に位置させ、脚立への登り降りの邪魔にならない。また、カムブロックは、第１，第２の傾斜面によってスムーズに左右に移動することができると共に、第２の水平面の高さから第１の水平面の高さへと昇降体を一気に下降させることができる。
【００１６】
これら本考案の脚立ぐらつき安全体感装置は、さらに、以下の構成をも備えるとよい。
（６）前記脚立本体には、前記ヒンジ部材の下方に、前後の各脚部に対してそれぞれの一端を回動可能に連結されると共に、他端同士を互いに回動可能に連結された２本のレバーによって構成される第２のヒンジ部材を備えていること。
【００１７】
かかる構成をも備えることにより、意図しない開度まで脚部が開いてしまうことがない。
【考案の効果】
【００１８】
本考案によれば、脚立を用いた作業を行う際の段取り作業の重要性を体感させることができる。
【図面の簡単な説明】
【００１９】
【図１】実施例１の脚立ぐらつき安全体感装置を示し、（Ａ）は斜視図、（Ｂ）は操作ボックスの要部平面図である。
【図２】実施例１の脚立ぐらつき安全体感装置を示し、（Ａ）は平面図、（Ｂ）は左側面図である。
【図３】実施例１の脚立ぐらつき安全体感装置を示し、（Ａ）は背面図、（Ｂ）は正面図である。
【図４】実施例１の脚立ぐらつき安全体感装置のエア給排回路の回路図である。
【図５】実施例１の脚立ぐらつき安全体感装置によりストッパ掛け忘れによる危険性を体感させる使用方法を示し、（Ａ）は左側面図、（Ｂ）はその要部拡大図である。
【図６】実施例１の脚立ぐらつき安全体感装置により接地不良による危険性を体感させる使用方法を示し、（Ａ）は左側面図、（Ｂ）はその要部拡大図である。
【考案を実施するための形態】
【００２０】
以下、本考案を実施するための形態を実施例で説明する。
【実施例１】
【００２１】
実施例１の脚立ぐらつき安全体感装置１は、図１〜図３に示す様に、脚立本体２と、脚立本体２を載置する前後の載置台４，５と、操作ボックス６とを備えている。脚立本体２は、前側脚部１０と後側脚部２０とを備え、互いの上端近くを連結する上部ヒンジ３１によって開脚角度を調整可能となっている。前側脚部１０は、左右２本の脚１１，１２と、複数のステップ１３ａ〜１３ｅと、上端の踏み板１４とを備える梯子形を呈する。後側脚部２０も、同じく、左右２本の脚２１，２２と、複数のステップ２３ａ〜２３ｅと、上端の踏み板２４とを備える梯子形を呈する。これら前側脚部１０と後側脚部２０には、上部ヒンジ３１と最上段のステップ１３ａ，２３ａとの間の位置にも、上部ヒンジ３１よりもレバーが長い第２のヒンジ３２が備えられている。この第２のヒンジ３２は、レバー同士が水平に伸びた状態以上に脚部同士が開かない様に規制する役割をもっている。
【００２２】
各載置台４，５は、それぞれ下面に各４個のキャスタ４１，５１が固定されると共に、各キャスタ４１，５１の外側に位置する様に、各４本の支持脚４２，５２が備えられたベース板４０，５０を備えている。支持脚４２，５２は、ベース板４０，５０に対してネジ式にて高さ調整可能に取り付けられている。支持脚４２，５２は、キャスタ４１，５１を用いて載置台４，５を移動させる際には上昇させ、位置決めした後は、下降させてキャスタ４１，５１を浮かせた状態に各載置台４，５を設置する役割をもっている。
【００２３】
前側載置台４のベース板４０の上面の左右の端近くにはスライドガイド４３，４３が前後方向に伸びる様に設置されている。スライドガイド４３，４３には、スライダ４４が前後方向移動可能に取り付けられる。このスライダ４４の上面には前側脚部１０の左右の脚１１，１２の下端を前後から挟む様に垂直部を背中合わせにして一対のアングル４５，４６が取り付けられている。前側脚部１０は、左右の脚１１，１２の下端をこの一対のアングル４５，４６の間に挿入する様にして前側載置台４に載置される。
【００２４】
前側載置台４のベース板４０の後端中央には、図２（Ｂ）に示す様に、ロッド６１ａを前方に向ける様にして第１のエアシリンダ６１が設置されている。この第１のエアシリンダ６１のロッド６１ａは、スライダ４４に固定されている。第１のエアシリンダ６１は、ロッド６１ａの出没動作によってスライダ４４を後退位置と前進位置との間でスライドさせる。
【００２５】
後側載置台５のベース板５０の上面の前側左右の端近くには脚部支持体５３，５４が設置されている。脚部支持体５３，５４の上面には、後側脚部２０の脚２１，２２の下端を前後から挟む様に、垂直部を前側に向けたアングル５５，５６と、ブラケット５７，５８が取り付けられている。後側脚部２０は、左右の脚２１，２２の下端をこのアングル５５，５６とブラケット５７，５８の間に挿入する様にして、後側載置台５に載置される。
【００２６】
後側載置台５のベース板５０には、図３（Ａ）に示す様に、ロッド６２ａの先端を左側の脚部支持体５３に向ける様にして第２のエアシリンダ６２が設置されている。この第２のエアシリンダ６２のロッド６２ａの先端には、カムブロック７０が固定されている。このカムブロック７０の上面には、図６（Ｂ）に示す様に、脚部２０の外側から順番に、高さの低い第１水平面７１、第１水平面７１に連続して高さを増大させる方向に傾斜する第１傾斜面７２、第２傾斜面７２に連続する中間高さの第２水平面７３、及び第２水平面７３に連続して高さを増大させる方向に傾斜する第２傾斜面７４からなるカム面が形成されている。なお、第１の傾斜面と第２の傾斜面は同一傾斜となっている。
【００２７】
一方、脚部支持体５３の中には、昇降可能に昇降体８０が組み付けられている。この昇降体８０の下面には、図６（Ｂ）に示す様に、脚部２０の内側から順番に、カムブロック７０の第２傾斜面７４に対応する第２傾斜面８４、第２水平面７３に対応する第２水平面８３、第１傾斜面７２に対応する第１傾斜面８２、及び第１水平面７１に対応する第１水平面８１からなるカム面が形成されている。
【００２８】
第２のエアシリンダ６２は、ロッド６２ａの出没動作によってカムブロック７０と昇降体８０のカム面同士の噛み合い状態を変化させることにより、昇降体８０を上昇位置と下降位置との間で昇降させる。
【００２９】
前側載置台４に設置された第１のエアシリンダ６１には、図４に示す様に、スピードコントローラ６１ｂ，６１ｃを介して圧縮空気が給排される。この第１のエアシリンダ６１に対する圧縮空気の給排方向は、３ポートメカニカルバルブ６１ｄのポート切換によって切り換えられる。バルブ６１ｄのポート切換は、図１（Ｂ）に示す様に、第１の操作スイッチ９１を、「開く」「中立」「閉じる」のいずれかへ合わせる様に操作することによって実行される。
【００３０】
後側載置台５に設置された第２のエアシリンダ６２にも、図４に示す様に、スピードコントローラ６２ｂ，６２ｃを介して圧縮空気が給排される。この第２のエアシリンダ６２に対する圧縮空気の給排方向は、３ポートメカニカルバルブ６２ｄのポート切換によって切り換えられる。バルブ６２ｄのポート切換は、図１（Ｂ）に示す様に、第２の操作スイッチ９２を、「戻す」「中立」「落とす」のいずれかへ合わせる様に操作することによって実行される。
【００３１】
本実施例の安全体感装置１を用いて脚立のぐらつきを体感する際には、まず、第１の操作スイッチ９１を「閉じる」に合わせ、前側載置台４の第１のエアシリンダ６１のロッド６１ａを没入位置へと後退させた後に、第１の操作スイッチ９１を「中立」に合わせる。同様に、第２の操作スイッチ９２を「戻す」に合わせて後側載置台５の第２のエアシリンダ６２のロッド６２ａを突出位置へと前進させた後に第２の操作スイッチ９２を「中立」に合わせる。
【００３２】
［使用方法１］
体験者を脚立に登らせ、第１の操作スイッチ９１を「開く」に合わせる。すると、図５に実線で示す様に、前側載置台４の第１のエアシリンダ６１のロッド６１ａが突出方向へ移動し、これにともなってスライドガイド４３にガイドされたスライダ４４が前進する。この結果、前側脚部１０の下端が、後側のアングル４６に押されることとなり、前方へと移動する。これにより、図５において点線で示した状態から実線で示した状態へと前後の脚部１０，２０の開度が広がり、ストッパをかけ忘れた場合に生じる脚立のぐらつきを体感させることができる。なお、このとき、下側の第２のヒンジ３２が開き過ぎを防止する。
【００３３】
［使用方法２］
体験者を脚立に登らせ、第２の操作スイッチ９２を「落とす」に合わせる。すると、図６に実線で示す様に、後側載置台５の第２のエアシリンダ６２のロッド６２ａが没入方向へ移動し、これにともなって昇降体８０が下降する。この結果、後側脚部２０の左側の脚２１の下端が下降する。これにより、図６において点線で示した状態から実線で示した状態へと後方脚部２０に傾きを生じ、接地不良による脚立のぐらつきを体感させることができる。
【００３４】
以上の様にして、作業者に脚立を用いた作業における段取り作業の重要性を体感させることができる。
【００３５】
以上、本考案の一実施例について説明したが、本考案はこの実施例に限られるものではなく、その要旨を逸脱しない範囲内においてさらに種々の形態を採用することができることはもちろんである。
【産業上の利用可能性】
【００３６】
体験学習により安全教育を行う装置として利用することができる。
【符号の説明】
【００３７】
１・・・脚立ぐらつき安全体感装置、２・・・脚立本体、４，５・・・載置台、６・・・操作ボックス、１０・・・前側脚部、１１，１２・・・脚、１３ａ〜１３ｅ・・・ステップ、１４・・・踏み板、２０・・・後側脚部、２１，２２・・・脚、２３ａ〜２３ｅ・・・ステップ、２４・・・踏み板、３１・・・上部ヒンジ、３２・・・第２のヒンジ、４０・・・ベース板、４１・・・キャスタ、４２・・・支持脚、４３・・・スライドガイド、４４・・・スライダ、４５，４６・・・アングル、５０・・・ベース板、５１・・・キャスタ、５２・・・支持脚、５３，５４・・・脚部支持体、５５，５６・・・アングルと５７，５８・・・ブラケット、６１・・・第１のエアシリンダ、６１ａ・・・ロッド、６１ｂ，６１ｃ・・・スピードコントローラ、６１ｄ・・・３ポートメカニカルバルブ、６２・・・第２のエアシリンダ、６２ａ・・・ロッド、６２ｂ，６２ｃ・・・スピードコントローラ、６２ｄ・・・３ポートメカニカルバルブ、７０・・・カムブロック、７１・・・第１水平面、７２・・・第１傾斜面、７３・・・第２水平面、７４・・・第２傾斜面、８０・・・昇降体、８１・・・第１水平面、８２・・・第１傾斜面、８３・・・第２水平面、８４・・・第２傾斜面、９１・・・第１の操作スイッチ、９２・・・第２の操作スイッチ。
【図１】
0003197026.tif 000003
【図２】
0003197026.tif 000004
【図３】
0003197026.tif 000005
【図４】
0003197026.tif 000006
【図５】
0003197026.tif 000007
【図６】
0003197026.tif 000008